(57)【要約】【課題】可視域以外を波長範囲に含む測定光の照射位置（測定位置）をより正確に可視化することが可能な光学ユニット、光学測定装置および光学測定方法を提供する。【解決手段】光学ユニットは、可視域以外を波長範囲に含む測定光を第１の光軸に沿ってサンプルに照射するとともに、サンプルにおいて生じる測定光の反射光を受光するプローブと、第１の光軸上に配置された第１のビームスプリッタと、可視域を波長範囲に含む観察光が第１の光軸に沿ってサンプルに照射されるように、観察光を第１のビームスプリッタに導く第２のビームスプリッタと、サンプルにおいて生じる測定光の反射光およびサンプルにおいて生じる観察光の反射光のうち、第１のビームスプリッタによって第２の光軸に光路が変化した光を受光し、受光した光の像を示す撮像画像を出力する撮像部とを含む。撮像部は、観察光の波長範囲の少なくとも一部、および、測定光の波長範囲の少なくとも一部のいずれにも感度を有している。【選択図】図１
2020176842.tif 000002
【特許請求の範囲】
【請求項１】
可視域以外を波長範囲に含む測定光を第１の光軸に沿ってサンプルに照射するとともに、前記サンプルにおいて生じる前記測定光の反射光を受光するプローブと、
前記第１の光軸上に配置された第１のビームスプリッタと、
可視域を波長範囲に含む観察光が前記第１の光軸に沿って前記サンプルに照射されるように、前記観察光を前記第１のビームスプリッタに導く第２のビームスプリッタと、
前記サンプルにおいて生じる前記測定光の反射光および前記サンプルにおいて生じる観察光の反射光のうち、前記第１のビームスプリッタによって第２の光軸に光路が変化した光を受光し、受光した光の像を示す撮像画像を出力する撮像部とを備え、
前記撮像部は、前記観察光の波長範囲の少なくとも一部、および、前記測定光の波長範囲の少なくとも一部のいずれにも感度を有している、光学ユニット。
【請求項２】
前記測定光の波長範囲は、近赤外域を含み、
前記観察光の波長範囲は、前記測定光の波長範囲とは重複しないように構成される、請求項１に記載の光学ユニット。
【請求項３】
前記第２のビームスプリッタは、前記第２の光軸上に配置されており、
前記観察光を発生する観察用光源は、前記第２のビームスプリッタに関連付けられた第３の光軸上に配置される、請求項１または２に記載の光学ユニット。
【請求項４】
前記第２の光軸は、前記第１の光軸に対して直交しており、
前記第３の光軸は、前記第２の光軸に対して直交するとともに、前記第１の光軸とは非平行である、請求項３に記載の光学ユニット。
【請求項５】
前記第１のビームスプリッタは、ペリクル膜からなる、請求項１〜４のいずれか１項に記載の光学ユニット。
【請求項６】
前記撮像部に入射する測定光の反射光と観察光の反射光との強度バランスを調整する強度調整手段をさらに備える、請求項１〜５のいずれか１項に記載の光学ユニット。
【請求項７】
前記強度調整手段は、前記撮像部の前段に配置された光学フィルタを含む、請求項６に記載の光学ユニット。
【請求項８】
前記強度調整手段は、
前記測定光の波長範囲についての前記撮像部からの出力信号と、前記観察光の波長範囲についての前記撮像部からの出力信号とを合成する処理を変化させる手段と、
前記測定光の波長範囲に対する前記撮像部の感度と前記観察光の波長範囲に対する前記撮像部の感度との比を変化させる手段とのうち、いずれかを含む、請求項６に記載の光学ユニット。
【請求項９】
請求項１〜８のいずれか１項に記載の光学ユニットと、
前記光学ユニットの前記プローブと光学的に接続され、前記プローブを介して導かれる前記測定光の反射光を受光して光学特性を含む測定結果を出力する測定ユニットとを備える、光学測定装置。
【請求項１０】
前記測定ユニットは、
前記測定光の反射光に基づいて前記サンプルの反射率スペクトルを算出する手段と、
前記反射率スペクトルに対する所定の波数変換により波数変換反射率スペクトルを算出する手段と、
前記波数変換反射率スペクトルを波数についてフーリエ変換してパワースペクトルを算出する手段と、
前記パワースペクトルに現れるピークの位置に基づいて、前記光学特性として、前記サンプルの光学膜厚、前記サンプルの膜厚、前記サンプルまでの距離のうち少なくとも一つを算出する手段とを含む、請求項９に記載の光学測定装置。
【請求項１１】
前記第１のビームスプリッタの光学膜厚は、前記測定ユニットの測定波長範囲の上限値および下限値に基づいて決定される測定可能な光学膜厚の下限値未満となるように決定される、請求項９に記載の光学測定装置。
【請求項１２】
測定用光源が発生した、可視域以外を波長範囲に含む測定光を第１の光軸に沿ってサンプルに照射するステップと、
可視域を波長範囲に含む観察光を前記第１の光軸に沿って前記サンプルに照射するステップと、
前記サンプルにおいて生じる前記測定光の反射光を受光して光学特性を含む測定結果を出力するステップと、
前記サンプルにおいて生じる前記測定光の反射光および前記サンプルにおいて生じる観察光の反射光のうち、前記第１の光軸上に配置された第１のビームスプリッタによって第２の光軸に光路が変化した光を撮像部で受光し、受光した光の像を示す撮像画像を出力するステップとを備え、
前記撮像部は、前記観察光の波長範囲の少なくとも一部、および、前記測定光の波長範囲の少なくとも一部のいずれにも感度を有している、光学測定方法。
【発明の詳細な説明】
【技術分野】
【０００１】
本発明は、サンプルの光学特性を測定するための光学ユニット、光学測定装置および光学測定方法に関する。
【背景技術】
【０００２】
サンプルの光学特性を測定する光学測定装置の一例として、顕微測定装置が知られている。顕微測定装置は、光を拡大縮小する光学系を介して、任意のサンプルの反射率や屈折率、膜厚、消衰係数といった物理量を測定する。顕微測定装置では、サンプルに対する測定位置（あるいは、光学系が結像するサンプル上に位置である焦点位置）の調整が難しいという課題がある。サンプルに対する測定位置の調整に関して、以下のような、測定光と同じ光路に沿って可視光を投影することで、サンプル上に照射位置を具現化するという先行技術が知られている（以下の特許文献１〜４など参照）。
【０００３】
特開２００５−０９８８３５号公報（特許文献１）は、低コヒーレンス光を用いて非接触で距離を計測する光学式距離計測方法および装置に関するものであり、計測対象面に計測用の低コヒーレンス光と可視光が照射され、光検出器には低コヒーレンス光のみを入射するように構成されている。このような構成を採用することで、計測対象面上の計測点の視認性を確保することができ、可視光を計測ノイズ光とすることなく、計測ヘッドと計測対象面の間の距離を計測することができる。
【０００４】
特開２０１６−０９０３８３号公報（特許文献２）は、近赤外レーザ光に可視光を波長合成器で合成して測定対象物に出射することにより、測定対象物上の近赤外レーザ光の照射箇所を可視光により提示する構成を採用した場合に、近赤外レーザ光と可視光との間に生じる色収差によって、測定対象物上の近赤外レーザ光の照射位置と可視光の照射位置が一致しなくなることがあるという課題に対して、測定に用いる不可視レーザ光の照射位置を正しく提示する解決手段を開示する。
【０００５】
特開２００９−２７０９３９号公報（特許文献３）は、広帯域光を計測用の検出光として用い、検出光を測定対象物に向けて出射する集光レンズの出射側端面及び測定対象物間の距離を測定対象物による反射光と出射側端面による反射光との干渉を利用して計測する光学式変位計を開示する。光学式変位計においては、検出光の照射位置をワーク上に表示するためのガイド光として可視光を生成するガイド光の光源装置を有している。
【０００６】
特開２００６−１３９０２７号公報（特許文献４）は、刺激光の照射位置を把握するためのガイド光を刺激光と同じ位置に比較的簡単な構成によって精度良く照射できる顕微鏡の照明装置を開示する。
【先行技術文献】
【特許文献】
【０００７】
【特許文献１】特開２００５−０９８８３５号公報
【特許文献２】特開２０１６−０９０３８３号公報
【特許文献３】特開２００９−２７０９３９号公報
【特許文献４】特開２００６−１３９０２７号公報
【発明の概要】
【発明が解決しようとする課題】
【０００８】
上述の特許文献１〜４に開示される先行技術においては、サンプル上に照射位置を示す可視光を投影し、ユーザが投影された可視光に基づいて測定位置を確認することになる。しかしながら、可視域以外（赤外域および紫外域など）（「不可視域」とも称す。）の光を用いて光学特性を測定する場合には、光学系に生じる色収差などによって、可視光が投影されている位置が実際の測定位置と一致するか否かを確認できない場合もある。
【０００９】
本発明は、可視域以外を波長範囲に含む測定光の照射位置（測定位置）をより正確に可視化することが可能な光学ユニット、光学測定装置および光学測定方法を提供することを目的とする。
【課題を解決するための手段】
【００１０】
本発明のある実施の形態に従う光学ユニットは、可視域以外を波長範囲に含む測定光を第１の光軸に沿ってサンプルに照射するとともに、サンプルにおいて生じる測定光の反射光を受光するプローブと、第１の光軸上に配置された第１のビームスプリッタと、可視域を波長範囲に含む観察光が第１の光軸に沿ってサンプルに照射されるように、観察光を第１のビームスプリッタに導く第２のビームスプリッタと、サンプルにおいて生じる測定光の反射光およびサンプルにおいて生じる観察光の反射光のうち、第１のビームスプリッタによって第２の光軸に光路が変化した光を受光し、受光した光の像を示す撮像画像を出力する撮像部とを含む。撮像部は、観察光の波長範囲の少なくとも一部、および、測定光の波長範囲の少なくとも一部のいずれにも感度を有している。
【００１１】
測定光の波長範囲は、近赤外域を含んでいてもよい。観察光の波長範囲は、測定光の波長範囲とは重複しないように構成されていてもよい。
【００１２】
第２のビームスプリッタは、第２の光軸上に配置されていてもよい。観察光を発生する観察用光源は、第２のビームスプリッタに関連付けられた第３の光軸上に配置されていてもよい。
【００１３】
第２の光軸は、第１の光軸に対して直交していてもよい。第３の光軸は、第２の光軸に対して直交するとともに、第１の光軸とは非平行であってもよい。
【００１４】
第１のビームスプリッタは、ペリクル膜からなっていてもよい。
光学ユニットは、撮像部に入射する測定光の反射光と観察光の反射光との強度バランスを調整する強度調整手段をさらに含んでいてもよい。
【００１５】
強度調整手段は、撮像部の前段に配置された光学フィルタを含んでいてもよい。
強度調整手段は、測定光の波長範囲についての撮像部からの出力信号と、観察光の波長範囲についての撮像部からの出力信号とを合成する処理を変化させる手段と、測定光の波長範囲に対する撮像部の感度と観察光の波長範囲に対する撮像部の感度との比を変化させる手段とのうち、いずれかを含んでいてもよい。
【００１６】
本発明の別の実施の形態に従う光学測定装置は、上述の光学ユニットと、光学ユニットのプローブと光学的に接続され、プローブを介して導かれる測定光の反射光を受光して光学特性を含む測定結果を出力する測定ユニットとを含む。
【００１７】
測定ユニットは、測定光の反射光に基づいてサンプルの反射率スペクトルを算出する手段と、反射率スペクトルに対する所定の波数変換により波数変換反射率スペクトルを算出する手段と、波数変換反射率スペクトルを波数についてフーリエ変換してパワースペクトルを算出する手段と、パワースペクトルに現れるピークの位置に基づいて、光学特性として、サンプルの光学膜厚、サンプルの膜厚、サンプルまでの距離のうち少なくとも一つを算出する手段とを含んでいてもよい。
【００１８】
第１のビームスプリッタの光学膜厚は、測定ユニットの測定波長範囲の上限値および下限値に基づいて決定される測定可能な光学膜厚の下限値未満となるように決定されてもよい。
【００１９】
本発明のさらに別の実施の形態に従う光学測定方法は、測定用光源が発生した、可視域以外を波長範囲に含む測定光を第１の光軸に沿ってサンプルに照射するステップと、可視域を波長範囲に含む観察光を第１の光軸に沿ってサンプルに照射するステップと、サンプルにおいて生じる測定光の反射光を受光して光学特性を含む測定結果を出力するステップと、サンプルにおいて生じる測定光の反射光およびサンプルにおいて生じる観察光の反射光のうち、第１の光軸上に配置された第１のビームスプリッタによって第２の光軸に光路が変化した光を撮像部で受光し、受光した光の像を示す撮像画像を出力するステップとを含む。撮像部は、観察光の波長範囲の少なくとも一部、および、測定光の波長範囲の少なくとも一部のいずれにも感度を有している。
【発明の効果】
【００２０】
本発明のある実施の形態によれば、可視域以外を波長範囲に含む測定光の照射位置（測定位置）をより正確に可視化できる。
【図面の簡単な説明】
【００２１】
【図１】本実施の形態に従う光学測定装置の構成例を示す模式図である。
【図２】本実施の形態に従う光学測定装置を構成する測定ユニットの機能構成例を示す模式図である。
【図３】図２に示す分光測定部の光学系の一例を示す模式図である。
【図４】本実施の形態に従う光学ユニットの光学系の要部を示す模式図である。
【図５】本実施の形態に従う光学ユニットにおける測定光および測定光の反射光の光路を示す模式図である。
【図６】本実施の形態に従う光学ユニットにおける測定光の反射光の光路を示す模式図である。
【図７】本実施の形態に従う光学ユニットにおける観察光の光路を示す模式図である。
【図８】本実施の形態に従う光学ユニットにおける観察光の反射光の光路を示す模式図である。
【図９】本実施の形態に従う光学ユニットにおける撮像部の視野を示す模式図である。
【図１０】本実施の形態に従う光学ユニットの光学系の別形態を示す模式図である。
【図１１】本実施の形態に従う光学ユニットの撮像部が採用する２次元撮像素子の構成例を示す模式図である。
【図１２】本実施の形態に従う光学ユニットの撮像部が採用する２次元撮像素子の別の構成例を示す模式図である。
【図１３】本実施の形態に従う光学ユニットの撮像部による撮像結果の一例を示す図である。
【図１４】本実施の形態に従う光学測定装置を用いて測定可能な光学膜厚の下限値を有するサンプルを測定したときの波長範囲と干渉波形の周期性との関係を説明するための図である。
【図１５】本実施の形態に従う光学測定装置を用いたサンプルの測定手順を示すフローチャートである。
【図１６】本実施の形態に従う光学測定装置を用いたサンプルの測定例を示す図である。
【図１７】本実施の形態に従う光学測定装置を用いたサンプルの測定例を示す図である。
【図１８】本実施の形態に従う光学測定装置を用いたサンプルの測定例を示す図である。
【発明を実施するための形態】
【００２２】
本発明の実施の形態について、図面を参照しながら詳細に説明する。なお、図中の同一または相当部分については、同一符号を付してその説明は繰り返さない。
【００２３】
＜Ａ．光学測定装置１の構成例＞
まず、本実施の形態に従う光学測定装置１の構成例について説明する。
【００２４】
図１は、本実施の形態に従う光学測定装置１の構成例を示す模式図である。図１を参照して、光学測定装置１は、典型的には、光学ユニット２と、測定ユニット１００と、表示装置２００とを含む顕微測定装置である。図１には、３つの装置からなる光学測定装置１を例示するが、３つの装置の全部または一部を一体化して光学測定装置として構成してもよい。
【００２５】
光学測定装置１は、サンプルＳＭＰに対して測定用の光（以下、「測定光」とも称す。）を照射するとともに、サンプルＳＭＰからの反射光に基づいて、サンプルＳＭＰの光学特性を算出する。光学特性としては、典型的には、サンプルＳＭＰの光学膜厚、サンプルＳＭＰの膜厚、基準位置からサンプルＳＭＰの表面までの距離などが想定される。
【００２６】
測定ユニット１００は、測定光を発生する光源として機能するとともに、サンプルＳＭＰからの反射光を受光して測定結果を出力する受光部として機能する。測定ユニット１００には、Ｙ型ファイバ４０のファイバカプラ４３で分岐される分岐ファイバ４１および分岐ファイバ４２が接続される。後述するように、測定光は、分岐ファイバ４１を介して光学ユニット２へ提供され、サンプルＳＭＰからの反射光は、分岐ファイバ４２を介して測定ユニット１００に入射する。
【００２７】
サンプルＳＭＰの代表例としては、特殊な表面形状や微細構造を有する、半導体基板、薄膜形成されたガラス基板、機能性樹脂、機能性プラスチックなどが挙げられる。
【００２８】
また、光学測定装置１は、測定中のサンプルＳＭＰの状態を観察するために、観察用の光（以下、「観察光」とも称す。）をサンプルＳＭＰに照射する。観察光がサンプルＳＭＰで反射されて生じる反射光の撮像画像も出力される。
【００２９】
本実施の形態に従う光学測定装置１は、可視域以外（赤外域および紫外域など）を波長範囲に含む光を測定光として用いてサンプルＳＭＰの光学特性を測定する。このとき、可視域を波長範囲に含む光を観察光としてサンプルＳＭＰに照射して撮像部で撮像することで、測定と同時に、サンプルＳＭＰの表面状態を観察できるようにする。このとき、観察されるサンプルＳＭＰの表面状態に測定状態を示す情報を含めることで、サンプルＳＭＰ上の測定位置をより確実に確認できる。また、後述するようなビームスプリッタおよび関連する光学系を採用することで、測定に用いられる光の強度低下を抑制して、測定精度の向上および測定時間の高速化を実現できる。
【００３０】
以下の説明においては、近赤外域を波長範囲に含む光を測定光として用いる構成について例示するが、測定光としてはこれに限られず、赤外域を波長範囲に含む光を測定光として用いてもよいし、紫外域を波長範囲に含む光を測定光として用いてもよい。また、測定光の波長範囲は、観察光の波長範囲と重複しない限りにおいて、可視域の一部を含んでいてもよい。すなわち、測定誤差を生じないように、観察光の波長範囲は、測定光の波長範囲とは重複しないように構成されることが好ましい。
【００３１】
（ａ１：光学ユニット２の構成例）
まず、光学測定装置１を構成する光学ユニット２の構成例について説明する。
【００３２】
光学ユニット２は、同一の光軸ＡＸ１に沿って測定光および観察光がサンプルＳＭＰに照射されるので、「同軸落射顕微ユニット」と称されることもある。
【００３３】
図１を参照して、光学ユニット２は、ステージ１０と、下部筒部１２と、上部筒部１４と、投受光プローブ１６と、結像レンズ２０と、主ビームスプリッタ２２と、観察用光源２４と、副ビームスプリッタ２６と、マクロレンズ２８と、撮像部３０と、光学フィルタ３２とを含む。
【００３４】
ステージ１０は、サンプルＳＭＰが配置されるとともに、光軸ＡＸ１に直交する平面に沿ってサンプルＳＭＰの配置位置を異ならせる。ステージ１０は、光軸ＡＸ１に直交する平面に沿って２つの直交する軸方向に移動する構成（ＸＹステージ）であってもよいし、光軸ＡＸ１を基準にして距離および角度を変化させる構成（Ｒθステージ）であってもよい。また、ステージ１０は、手動操作によってサンプルＳＭＰの位置を変化させるような構成（手動ステージ）であってもよいし、上位パーソナルコンピュータ（上位ＰＣ）からの指令に従ってサンプルＳＭＰの位置を変化させるような構成（自動ステージ）であってもよい。
【００３５】
ステージ１０の上部には、下部筒部１２および上部筒部１４が光軸ＡＸ１に平行に配置される。上部筒部１４の上部には投受光プローブ１６が配置される。投受光プローブ１６には、Ｙ型ファイバ４０の一端に設けられたコネクタ１８が光学的に接続される。
【００３６】
投受光プローブ１６は、測定光を光軸ＡＸ１に沿ってサンプルＳＭＰに照射するとともに、サンプルＳＭＰにおいて生じる測定光の反射光を受光する。より具体的には、投受光プローブ１６は、光軸ＡＸ１の中心に位置付けられた結像レンズ２０を有している。コネクタ１８から射出された測定光は、サンプルＳＭＰで結像するように結像レンズ２０で収束される。
【００３７】
下部筒部１２の内部において、光軸ＡＸ１と交差する位置に主ビームスプリッタ２２が配置されるとともに、主ビームスプリッタ２２に関連付けて撮像部３０が配置される。主ビームスプリッタ２２は、透過する測定光の減衰を可能な限り抑制するために、光分配薄膜が用いられてもよい。光分配薄膜の一例としては、高透過率のペリクル膜を用いることができる。
【００３８】
結像レンズ２０を透過してサンプルＳＭＰへ向けて伝搬する測定光の一部は、主ビームスプリッタ２２を透過して光軸ＡＸ１に沿ってサンプルＳＭＰへ向かう。サンプルＳＭＰへ入射した測定光の一部は、サンプルＳＭＰの表面、内部または裏面で反射して、光軸ＡＸ１に沿って逆方向に伝搬する。サンプルＳＭＰでの反射により生じた測定光の反射光は、主ビームスプリッタ２２に入射すると、その一部は、主ビームスプリッタ２２を透過して投受光プローブ１６へ入射するとともに、別の一部は、主ビームスプリッタ２２で反射されて撮像部３０へ入射する。すなわち、サンプルＳＭＰに測定光を照射することで生じる測定光の反射光は、投受光プローブ１６（測定ユニット１００）および撮像部３０のいずれにも入射することになる。
【００３９】
また、主ビームスプリッタ２２に関連付けて副ビームスプリッタ２６が配置され、副ビームスプリッタ２６に関連付けて観察用光源２４が配置される。副ビームスプリッタ２６は、光軸ＡＸ２上に配置されており、観察用光源２４は、副ビームスプリッタ２６に関連付けられた光軸ＡＸ３上に配置されている。副ビームスプリッタ２６は、観察用光源２４からの観察光が光軸ＡＸ１に沿ってサンプルＳＭＰに照射されるように、観察光を主ビームスプリッタ２２に導く。副ビームスプリッタ２６は、ハーフミラーなどが用いられてもよい。このように、副ビームスプリッタ２６は、測定光の光路に影響を与えないように、測定光の光路外、すなわち光軸ＡＸ１と交差しない位置に配置されている。
【００４０】
観察用光源２４は、少なくとも可視域の波長範囲を含む観察光を発生する。可視域の波長範囲を含む観察光を発生する観察用光源２４としては、白色ＬＥＤ（light emitting diode）などを採用してもよい。観察用光源２４が発生した観察光は、副ビームスプリッタ２６で反射されて主ビームスプリッタ２２に入射し、主ビームスプリッタ２２で反射されて光軸ＡＸ１に沿ってサンプルＳＭＰへ向かう。サンプルＳＭＰへ入射した観察光の一部は、サンプルＳＭＰの表面、内部または裏面で反射して、光軸ＡＸ１に沿って逆方向に伝搬する。サンプルＳＭＰでの反射により生じた観察光の反射光は、主ビームスプリッタ２２に入射すると、その一部は、主ビームスプリッタ２２で反射されて撮像部３０へ入射する。
【００４１】
サンプルＳＭＰに観察光を照射することで生じる観察光の反射光は、撮像部３０に入射することになる。なお、観察光の反射光は、投受光プローブ１６を介して測定ユニット１００にも入射し得るが、後述するような測定ユニット１００のカットフィルタ（図３参照）により遮断されるため、測定への実質的な影響はない。
【００４２】
撮像部３０は、入射する光の強度に応じた観察像を出力する２次元撮像素子からなり、測定光の波長範囲の少なくとも一部および観察光の波長範囲の少なくとも一部に感度を有している。上述したように、撮像部３０は、サンプルＳＭＰにおいて生じる測定光の反射光およびサンプルＳＭＰにおいて生じる観察光の反射光のうち、主ビームスプリッタ２２によって光軸ＡＸ２に光路が変化した光を受光する。撮像部３０は、受光した光の像を示す撮像画像を出力する。
【００４３】
ここで、撮像部３０は、観察光の波長範囲の少なくとも一部、および、測定光の波長範囲の少なくとも一部のいずれにも感度を有している。すなわち、撮像部３０の感度範囲は、観察光の可視域だけではなく、測定光の近赤外域を含み得る。この結果、撮像部３０は、サンプルＳＭＰから生じた測定光の反射光および観察光の反射光の情報を含む撮像画像を出力することになる。撮像部３０による撮像画像は表示装置２００に出力される。撮像部３０としては、典型的には、ＣＣＤイメージセンサまたはＣＭＯＳ（Complementary Metal Oxide Semiconductor）イメージセンサなどを採用してもよい。
【００４４】
撮像部３０の前段にはマクロレンズ２８が配置されている。マクロレンズ２８は、撮像部３０の視野範囲を調整する。
【００４５】
マクロレンズ２８の前段には光学フィルタ３２が配置されている。光学フィルタ３２は、予め定められた波長範囲の成分を減衰させることで、撮像部３０に入射する測定光の反射光と観察光の反射光との強度バランスを調整する（詳細については後述する。）。
【００４６】
（ａ２：測定ユニット１００の構成例）
次に、光学測定装置１を構成する測定ユニット１００の構成例について説明する。
【００４７】
図２は、本実施の形態に従う光学測定装置１を構成する測定ユニット１００の機能構成例を示す模式図である。図２を参照して、測定ユニット１００は、測定用光源１１０と、分光測定部１２０と、演算部１３０と、インターフェイス１４０とを含む。
【００４８】
測定ユニット１００は、光学ユニット２の投受光プローブ１６と光学的に接続され、投受光プローブ１６を介して導かれる測定光の反射光を受光して測定結果を出力する。光学ユニット２と測定ユニット１００との間は、一端に２つの分岐を有するＹ型ファイバ４０により光学的に接続されている。なお、Ｙ型ファイバ４０は、シングルモードの構造を有するものが用いられる。
【００４９】
測定用光源１１０は、測定光を発生する。測定用光源１１０が発生する測定光は、典型的には、近赤外域を波長範囲に含むようにしてもよい。近赤外域を波長範囲に含む測定光を発生する測定用光源１１０としては、ＡＳＥ（Amplified Spontaneous Emission）光源を採用してもよい。また、測定用光源１１０は、インコヒーレント光を測定光として発生させることが好ましい。測定用光源１１０は、Ｙ型ファイバ４０の分岐ファイバ４１と光学的に接続されており、分岐ファイバ４１を介して光学ユニット２へ測定光が伝搬する。
【００５０】
分光測定部１２０は、Ｙ型ファイバ４０の分岐ファイバ４２と光学的に接続されており、光学ユニット２からのサンプルからの反射光（すなわち、測定光がサンプルなどで反射して生じる光）を受光し、受光した光の波長毎の強度を示す強度分布を測定結果として出力する（詳細については図３参照）。
【００５１】
演算部１３０は、分光測定部１２０から出力される測定結果に基づいて、サンプルの各種光学特性を算出する。サンプルの光学特性として、サンプルＳＭＰの光学膜厚、サンプルＳＭＰの膜厚、基準位置からサンプルＳＭＰまでの距離のうち少なくとも一つを算出するようにしてもよい。この場合には、分光測定部１２０の測定結果は、サンプルからの反射光または透過光のスペクトルを含み、演算部１３０は、分光測定部１２０からのスペクトルを周波数解析することで、サンプルの膜厚を算出する。演算部１３０は、プログラムを実行するプロセッサを用いて実装してもよいし、ＦＰＧＡ（field-programmable gate array）やＡＳＩＣ（application specific integrated circuit）、ＳｏＣ（system on a chip）などのハードワイヤードデバイスを用いて実装してもよい。
【００５２】
インターフェイス１４０は、図示しない上位ＰＣとの間で、演算部１３０により算出される光学特性を含む測定結果などを遣り取りする。インターフェイス１４０としては、イーサネット（登録商標）、無線ＬＡＮ、ＵＳＢ（universal serial bus）といった公知の伝送媒体を用いることができる。
【００５３】
測定ユニット１００と上位ＰＣとの間では、測定結果として、算出されたサンプルの光学特性に加えて、サンプルの反射率スペクトルなどの算出過程で用いられたデータ、測定時の属性情報、撮像部３０による撮像画像などを遣り取りしてもよい。
【００５４】
なお、測定ユニット１００の内部または外部に電源供給部を配置してもよい。
図３は、図２に示す分光測定部１２０の光学系の一例を示す模式図である。分光測定部１２０は、入射する光の波長毎の強度分布（スペクトル）を出力する。図３を参照して、分光測定部１２０は、スリット１２１と、シャッタ１２２と、カットフィルタ１２３と、コリメートミラー１２４と、回折格子１２５と、フォーカスミラー１２６と、検出部１２７とを含む。
【００５５】
スリット１２１は、Ｙ型ファイバ４０の分岐ファイバ４２に続いて配置され、入射する光のスポット径を調整する。
【００５６】
シャッタ１２２は、検出部１２７に入射する光を遮断可能に構成される。シャッタ１２２は、検出部１２７をリセットするためなどに用いられる。シャッタ１２２としては、典型的には、電磁力によって駆動する機械式の構造が採用される。
【００５７】
カットフィルタ１２３は、検出部１２７に入射する光に含まれる検出波長範囲外の波長成分を制限する。カットフィルタ１２３は、検出波長範囲外の波長成分を可能な限り遮断することが好ましい。
【００５８】
コリメートミラー１２４は、スリット１２１を介して入射した光（拡散光）を反射して平行光に変換するとともに、平行光に変換された光を回折格子１２５に向けて伝搬させる。
【００５９】
回折格子１２５は、入射した光を波長に応じて分離した上で検出部１２７へ導く。具体的には、回折格子１２５は、反射型回折格子であり、予め定められた波長間隔毎の回折波が対応する各方向に反射するように構成される。このような構成を有する回折格子１２５に光が入射すると、含まれる各波長成分は対応する方向に反射されて、検出部１２７の対応する検出素子に入射する。回折格子１２５としては、典型的には、ブレーズドホログラフィック平面グレーティングが採用される。
【００６０】
フォーカスミラー１２６は、回折格子１２５により波長に応じた方向に反射された光を反射して、検出部１２７の検出面に結像する。
【００６１】
検出部１２７は、複数の検出素子を有しており、各検出素子に入射する光の強度を示す電気信号を出力する。すなわち、検出部１２７は、回折格子１２５により分光された光に含まれる各波長成分の強度であるスペクトルを示す電気信号を出力する。検出部１２７としては、典型的には、近赤外域に感度をもつ検出素子を直線状に複数配置したリニアイメージセンサーが採用される。検出素子としては、典型的には、ＩｎＧａＡｓ（インジウムガリウムヒ素）が採用される。
【００６２】
＜Ｂ．光学測定装置１の光学系＞
次に、光学測定装置１の光学系についてより詳細に説明する。
【００６３】
図４は、本実施の形態に従う光学ユニット２の光学系の要部を示す模式図である。図４を参照して、投受光プローブ１６は光軸ＡＸ１上のサンプルＳＭＰに測定光を結像する。投受光プローブ１６とサンプルＳＭＰとを結ぶ光軸ＡＸ１上には、主ビームスプリッタ２２が配置されている。主ビームスプリッタ２２の反射面に対応する光軸ＡＸ２上には、光学フィルタ３２、マクロレンズ２８および撮像部３０が配置されている。副ビームスプリッタ２６の反射面に対応する光軸ＡＸ３上には、観察用光源２４が配置されている。
【００６４】
図４に示すように、光軸ＡＸ２は光軸ＡＸ１に対して直交しており、光軸ＡＸ３は光軸ＡＸ２に対して直交している。光軸ＡＸ３は光軸ＡＸ１とは非平行になっている。
【００６５】
以下、測定光、測定光の反射光、観察光、および、観察光の反射光の光路について説明する。
【００６６】
図５は、本実施の形態に従う光学ユニット２における測定光ＭＬ１および測定光の反射光ＭＬ２の光路を示す模式図である。図５を参照して、測定ユニット１００が発生した測定光ＭＬ１は、投受光プローブ１６から照射されて光軸ＡＸ１に沿って伝搬してサンプルＳＭＰに入射する。サンプルＳＭＰに入射した測定光ＭＬ１の一部は、サンプルＳＭＰの表面、内部または裏面で反射して測定光の反射光ＭＬ２となり、光軸ＡＸ１に沿って投受光プローブ１６に向けて伝搬する。
【００６７】
図６は、本実施の形態に従う光学ユニット２における測定光の反射光ＭＬ３の光路を示す模式図である。図６を参照して、測定光ＭＬ１がサンプルＳＭＰの表面、内部または裏面で反射して生じる反射光の一部は、光軸ＡＸ１に沿って投受光プローブ１６に向けて伝搬している過程で、主ビームスプリッタ２２により反射される。主ビームスプリッタ２２により反射された光は、測定光の反射光ＭＬ３として光軸ＡＸ２に沿って撮像部３０に向けて伝搬する。
【００６８】
図７は、本実施の形態に従う光学ユニット２における観察光ＯＬ１の光路を示す模式図である。図７を参照して、観察用光源２４が発生した観察光ＯＬ１は、光軸ＡＸ３に沿って伝搬して副ビームスプリッタ２６に入射して伝播方向を光軸ＡＸ２に変更され、さらに主ビームスプリッタ２２に入射して伝播方向を光軸ＡＸ１に変更される。そして、観察光ＯＬ１はサンプルＳＭＰに入射する。
【００６９】
図８は、本実施の形態に従う光学ユニット２における観察光の反射光ＯＬ２の光路を示す模式図である。図８を参照して、サンプルＳＭＰに入射した観察光ＯＬ１の一部は、サンプルＳＭＰの表面、内部または裏面で反射して観察光の反射光ＯＬ２となり、光軸ＡＸ１に沿って投受光プローブ１６に向けて伝搬する。光軸ＡＸ１に沿って投受光プローブ１６に向けて伝搬している過程で、反射光ＯＬ２は主ビームスプリッタ２２により反射される。主ビームスプリッタ２２により反射された反射光ＯＬ２は、光軸ＡＸ２に沿って撮像部３０に向けて伝搬する。
【００７０】
図９は、本実施の形態に従う光学ユニット２における撮像部３０の視野を示す模式図である。図９を参照して、撮像部３０は、測定光の反射光ＭＬ３および観察光の反射光ＯＬ２の、２つの光を合成した観察像を出力することができる。
【００７１】
上述したように、撮像部３０は、観察光および測定光の波長範囲に感度を有しているので、可視光により視覚化されるサンプルＳＭＰの表面状態に加えて、サンプルＳＭＰの光学特性を測定するための測定光そのものについても観察することができる。
【００７２】
測定光と同じ光路に沿って可視光を投影することで、サンプルＳＭＰ上に照射位置を具現化するという先行技術では、色収差などによって、可視光が投影されるサンプルＳＭＰ上に位置が必ずしも測定位置とは一致しない場合がある。本実施の形態に従う光学測定装置１においては、サンプルＳＭＰに照射される観察光を直接観察できるので、このような課題は生じず、サンプルＳＭＰ上の測定位置をより確実に確認できる。
【００７３】
図１０は、本実施の形態に従う光学ユニット２の光学系の別形態を示す模式図である。図１０には、光学特性として、基準位置からサンプルＳＭＰの表面までの距離を測定する場合の光学系を示す。
【００７４】
図１０に示す光学系においては、図４に示す光学系に比較して、光軸ＡＸ１上に透過光学部材３４が付加されている。透過光学部材３４は、距離測定の基準位置となる参照面を有している。透過光学部材３４の参照面を基準として、参照面とサンプルＳＭＰ表面との間の距離を測定することもできる。
【００７５】
サンプルＳＭＰまでの距離を測定する詳細については、例えば、特許第６４０２２７３号公報などを参照されたい。
【００７６】
＜Ｃ．強度バランス調整＞
本実施の形態に従う光学測定装置１において、撮像部３０は、測定光の反射光および観察光の反射光を受光する。それぞれの光は、光源、波長範囲、光路などが異なっているため、同一の撮像部３０で一度に撮像する場合には、強度バランスを調整することが好ましい。すなわち、光学測定装置１には、撮像部３０に入射する測定光の反射光と観察光の反射光との強度バランスを調整する強度調整機能を実装してもよい。このような強度調整機能を実装することで、波長範囲が近赤外域である測定光の反射光および波長範囲が可視域である観察光の反射光を、いずれもサチレーションや滲みなどを生じることなく、コントラストよく撮像できる。
【００７７】
以下、強度バランスを調整するいくつかの手法について説明する。
（ｂ１：光学フィルタ）
典型的には、撮像部３０の前段に光学フィルタ（図１に示す光学フィルタ３２）を配置することで、測定光の反射光と観察光の反射光との間で強度バランスを調整できる。すなわち、強度調整機能として、撮像部３０の前段に配置された光学フィルタを採用してもよい。基本的には、相対的に強度の大きい反射光を減衰させることで強度バランスを調整することになる。
【００７８】
（１）測定光の反射光の強度＞観察光の反射光の強度の場合
測定光の反射光の強度が観察光の反射光の強度より大きな場合には、測定光の反射光の強度を減衰させる必要がある。このような場合には、短波長側の光を透過させるとともに、長波長側の光を減衰させる機能を有する光学フィルタを用いることができる。このような光学フィルタとしては、熱線吸収フィルタ、ショートパスフィルタ、コールドフィルタ、ノッチフィルタ、干渉フィルタなどを用いることができる。
【００７９】
（２）測定光の反射光の強度＜観察光の反射光の強度の場合
観察光の反射光の強度が測定光の反射光の強度より大きな場合には、観察光の反射光の強度を減衰させる必要がある。このような場合には、長波長側の光を透過させるとともに、短波長側の光を減衰させる機能を有する光学フィルタを用いることができる。このような光学フィルタとしては、ロングパスフィルタ、赤外透過フィルタ、ノッチフィルタなどを用いることができる。
【００８０】
なお、本実施の形態に従う光学測定装置１の一実施例においては、測定光の反射光の強度は、観察光の反射光の強度に比較して約１０５倍程度のオーダで大きく、カットフィルタ１２３として、熱線吸収フィルタ（遮断特性：波長５００ｎｍで約８５％、波長１０００ｎｍで約０．２％）を２枚配置することで、強度バランスを調整した。
【００８１】
どのような光学フィルタを採用するのかについては、使用する撮像部３０の分光感度特性なども考慮する必要がある。そのため、実際にセットアップした光学系において、測定光（近赤外域）および観察光（可視域）の出力波長帯や強度比などを考慮しつつ、最適な光学フィルタを適宜選択することが好ましい。
【００８２】
このように光学フィルタを用いて強度バランスを調整することで、サンプルＳＭＰの表面状態を観察する場合（観察光の反射光の撮像）と、測定光の照射位置を確認する場合（測定光の反射光の撮像）とで、撮像部３０の撮像条件を異ならせるようなことをしなくても済む。すなわち、サンプルＳＭＰの表面状態の観察および測定光の照射位置の確認を同一の撮像条件で一度に撮像することができるため、測定運用時における利便性を高めることができる。
【００８３】
（ｂ２：撮像部３０の感度特性）
撮像部３０の感度特性を変化させることで、測定光の反射光（近赤外域）と観察光の反射光（可視域）との間で強度バランスを調整してもよい。
【００８４】
図１１は、本実施の形態に従う光学ユニット２の撮像部３０が採用する２次元撮像素子の構成例を示す模式図である。図１１を参照して、撮像部３０が採用する２次元撮像素子であるＣＣＤイメージセンサ３０２は、可視域および近赤外域のそれぞれを検出できるように区画されている。
【００８５】
より具体的には、ＣＣＤイメージセンサ３０２は、カラーフィルタ３０４と、近赤外吸収フィルタ３０６と、光電変換部３０８とを含む。カラーフィルタ３０４は、赤色（Ｒ）、緑色（Ｇ）、青色（Ｂ）、近赤外線（ＩＲ）の各波長範囲の光を透過させる領域に区画されている。近赤外吸収フィルタ３０６は、赤色（Ｒ）、緑色（Ｇ）、青色（Ｂ）の各区画に対応付けて配置されており、近赤外域の光を減衰または遮断する。光電変換部３０８は、区画毎に入射する光の強度を示す電気信号を出力する。なお、図示しないデュアルパスフィルタが前段に配置されてもよい。
【００８６】
図１１に示すような２次元撮像素子を採用することで、可視域の像（赤色（Ｒ）、緑色（Ｇ）、青色（Ｂ））を示す電気信号と、近赤外域の像（近赤外線（ＩＲ））を示す電気信号とを独立して出力できるので、これらの電気信号からそれぞれの像を生成する処理を調整することで、出力される撮像画像に含まれるそれぞれの像の強度を調整できる。
【００８７】
このように、強度調整機能として、測定光の波長範囲（すなわち、近赤外域）についての撮像部３０からの出力信号と、観察光の波長範囲（すなわち、可視域）についての撮像部３０からの出力信号とを合成する処理を変化させる機能を採用してもよい。
【００８８】
図１２は、本実施の形態に従う光学ユニット２の撮像部３０が採用する２次元撮像素子の別の構成例を示す模式図である。図１２を参照して、撮像部３０が採用する２次元撮像素子であるＣＭＯＳイメージセンサ３１０は、積層型薄膜を有しており、積層型薄膜への印加電圧を変えることで、感度波長域（可視光／近赤外線域）を全画素同時に、フレーム単位で電子制御することが可能になっている。
【００８９】
ＣＭＯＳイメージセンサ３１０は、マイクロレンズ３１２と、保護層３１４と、透明電極３１６と、可視域用有機薄膜３１８と、近赤外域用有機薄膜３２０と、画素電極３２２と、シリコン基板３２４と、電荷蓄積ノード３２６と、電源３２８とを含む。
【００９０】
図１２（Ａ）に示す状態では、電源３２８からの印加電圧がＬｏｗになっており、可視域用有機薄膜３１８にのみ信号電荷３３０が存在しており、近赤外域用有機薄膜３２０には信号電荷３３０が存在していない状態を示す。この状態においては、ＣＭＯＳイメージセンサ３１０は、可視域に感度を有することになる。
【００９１】
一方、図１２（Ｂ）に示す状態では、電源３２８からの印加電圧がＨｉｇｈになっており、可視域用有機薄膜３１８および近赤外域用有機薄膜３２０の両方に信号電荷３３０が存在している状態を示す。この状態においては、ＣＭＯＳイメージセンサ３１０は、近赤外域に感度を有することになる。
【００９２】
図１２に示すような２次元撮像素子を採用することで、可視域の像と近赤外域の像とを独立して出力できるので、これらの電気信号からそれぞれの像を生成する処理を調整することで、出力される撮像画像に含まれるそれぞれの像の強度を調整できる。
【００９３】
このように、強度調整機能として、測定光の波長範囲（すなわち、近赤外域）に対する撮像部３０の感度と観察光の波長範囲（すなわち、可視域）に対する撮像部３０の感度との比を変化させる機能を採用してもよい。
【００９４】
上述したような撮像部３０の感度特性を変化させることで強度バランスを調整する手法を採用することで、光学フィルタなどの光学部材を不要にできるので、低コスト化およびコンパクト化を実現できる。
【００９５】
＜Ｄ．撮像部による撮像結果の例＞
次に、本実施の形態に従う光学測定装置１の撮像部３０による撮像結果の一例を示す。
【００９６】
図１３は、本実施の形態に従う光学ユニット２の撮像部３０による撮像結果の一例を示す図である。図１３においては、サンプルＳＭＰとして、Ｓｉ基板上に金属電極パターンが形成されたパターンウェハを撮像した測定した結果の一例を示す。なお、撮像部３０には、モノクロＣＣＤ撮像部（メーカ：ＳＥＮＴＥＣＨ、型式：ＳＴＣ−ＳＢ１３３ＰＯＥＨＳ）を用いた。
【００９７】
図１３（Ａ）には、撮像部３０により撮像された画像を示す。図１３（Ａ）に示すように、撮像部３０により撮像された画像においては、サンプルＳＭＰの表面形状に加えて、測定光の照射位置（測定位置）を確認することができる。
【００９８】
図１３（Ｂ）には、図１３（Ａ）のＸ−Ｘ断面に対応する、撮像部３０が出力した濃淡値のプロファイルを示す。図１３（Ｂ）に示すように、測定光のスポット像の部分は、濃淡値が高くなっており、サンプルＳＭＰの表面形状を示す画像において、測定光の照射位置を十分に視認できることを意味している。
【００９９】
また、図１３（Ｂ）に示すように、上述したような測定光の反射光および観察光の反射光の強度バランスを調整することで、撮像部３０により撮像される撮像画像において、それぞれの反射光による像の濃淡値の差を適正なレベルに調整できる。
【０１００】
なお、サンプルＳＭＰの表面形状によっては（特に、表面が荒れたサンプルＳＭＰを測定する場合など）、サンプルＳＭＰの表面での乱反射の影響で、測定光のスポット像がうまく視認できない場合が想定される。このような場合は、表面が鏡面の基準サンプルを用いて測定光の照射位置を事前に取得し、その取得した照射位置を表示装置２００に表示される撮像画像に重ねて表示するようにしてもよい。
【０１０１】
＜Ｅ．光学特性の算出処理例＞
次に、測定ユニット１００での光学特性の算出処理の一例について説明する。
【０１０２】
本実施の形態に従う光学測定装置１は、光学特性の一例として、サンプルの光学膜厚、サンプルの膜厚、サンプルまでの距離を測定する。具体的には、光学測定装置１は、サンプルに測定光を照射して生じる反射光を受光し、その反射光に含まれる各波長成分の強度分布から反射率スペクトルを算出し、反射率スペクトルに対する所定の波数変換により波数変換反射率スペクトルを算出し、波数変換反射率スペクトルを波数についてフーリエ変換してパワースペクトルを算出し、パワースペクトルに現れるピークの位置に基づいて、サンプルの光学膜厚、サンプルの膜厚、サンプルまでの距離のうち１つ以上を測定する。なお、周波数解析には、高速フーリエ変換などの手法を用いることができる。また、光学膜厚から膜厚を算出する際は、算出された光学膜厚をサンプルの屈折率ｎで除することにより、サンプルの膜厚を算出することができる。
【０１０３】
このように、測定ユニット１００は、測定光の反射光に基づいてサンプルＳＭＰの反射率スペクトルを算出する処理と、反射率スペクトルに対する所定の波数変換により波数変換反射率スペクトルを算出する処理と、波数変換反射率スペクトルを波数についてフーリエ変換してパワースペクトルを算出する処理と、反射率スペクトルをフーリエ変換してパワースペクトルを算出する処理と、パワースペクトルに現れるピークの位置に基づいて、光学特性として、サンプルの光学膜厚、サンプルの膜厚、サンプルまでの距離のうち少なくとも一つを算出する処理とを実行可能になっている。
【０１０４】
さらに、サンプルの屈折率の波長依存性を考慮して膜厚を算出するようにしてもよい。この場合には、波長λ毎の反射率を示す反射率スペクトルＲ（λ）を算出した上で、既知の波長毎屈折率ｎ（λ）から算出される波数Ｋ（λ）＝２πｎ（λ）／λを導入して、各波長の反射率Ｒから波数変換反射率Ｒ’≡Ｒ／（１−Ｒ）をそれぞれ算出する。それぞれ算出された波長毎の波数変換反射率Ｒ’からなる波数変換反射率スペクトルを波数Ｋについてフーリエ変換することでパワースペクトルを算出する。算出されたパワースペクトルに現れるピークの位置に基づいてサンプルの膜厚を算出する。このようなサンプルの屈折率の波長依存性を考慮して膜厚を算出することで、サンプルの膜厚を高精度に算出できる。また、パワースペクトルに現れる複数のピークに基づいて、サンプルに含まれる多層膜の各層の厚みを算出できる。
【０１０５】
詳細な算出処理については、例えば、特開２００９−０９２４５４号公報などを参照されたい。上述の光学特性の算出処理は、反射率スペクトルだけではなく、透過率スペクトルについても適用可能である。
【０１０６】
＜Ｆ．主ビームスプリッタ２２＞
次に、主ビームスプリッタ２２についてより詳細に説明する。
【０１０７】
（ｆ１：主ビームスプリッタ２２の構造）
本実施の形態に従う光学測定装置１は、測定ユニット１００から発生した測定光をサンプルＳＭＰに照射し、照射した測定光の反射光を測定ユニット１００で受光して測定結果を出力するので、光路上における測定光の強度を低下させる要因を可能な限り排除することが好ましい。
【０１０８】
光学測定装置１においては、測定光の光路上には、主ビームスプリッタ２２のみが実質的に配置されることが好ましい。さらに、主ビームスプリッタ２２自体の透過率も可能な限り高くすることが好ましい。
【０１０９】
具体的には、本実施の形態に従う光学測定装置１においては、主ビームスプリッタ２２として光分配薄膜を用いる。特に、光分配薄膜の一例としてペリクル膜を用いてもよい。すなわち、主ビームスプリッタ２２をペリクル膜で構成してもよい。ペリクル膜は、炭素多孔体膜で構成されており、厚みは、数１００ｎｍ〜数１０μｍ程度になっている。このように、極めて薄い光分配薄膜を主ビームスプリッタ２２として採用することで、測定光に対する減衰を可能な限り抑制する。
【０１１０】
例えば、主ビームスプリッタ２２として採用したペリクル膜の透過率が９２％であれば、主ビームスプリッタ２２を光軸ＡＸ１上に配置したとしても、測定光の強度は約８５％（＝９２％の２乗）に維持できる。
【０１１１】
このように、測定光の光路である光軸ＡＸ１に配置する光学部材を可能な限り少なくすることで、測定ユニット１００に入射する測定光の反射光の強度を維持でき、これによって、測定精度の向上および測定に要する時間（タクトタイム）の短縮を実現できる。
【０１１２】
また、平行光でなく収束光である測定光がビームスプリッタに入射すると光路が変化し得るが、ペリクル膜は極めて薄いので、このような光路の変化が実質的に生じない。そのため、ビームスプリッタの表面側および裏面側でのそれぞれの反射により生じる像の間にはずれが生じないことになり、いわゆるゴースト像が実質的に発生しない。すなわち、主ビームスプリッタ２２は、測定光の光束が非コリメートビームである位置に配置されているが、ゴースト像が発生しないので、サンプルＳＭＰに照射される測定光のスポットの像およびサンプルＳＭＰの表面状態を示す像に生じる滲みを抑えて、クリアな観察が可能になる。
【０１１３】
（ｆ２：主ビームスプリッタ２２の厚み）
上述するような測定ユニット１００と組み合わせる場合には、主ビームスプリッタ２２の光学膜厚を以下のように設計することが好ましい。すなわち、光学ユニット２を分光干渉式の膜厚測定に適用する場合には、主ビームスプリッタ２２の光学膜厚（屈折率×実際の厚み：ｎｄ）は、測定ユニット１００の分光測定部１２０が測定可能な波長範囲の下限値λｍｉｎと上限値λｍａｘとによって、以下の（１）式に従って算出される光学膜厚の下限値ｄｍｉｎを下回るようにすることが好ましい。
【０１１４】
【数１】
2020176842.tif 000003
【０１１５】
すなわち、ｎｄ＜ｄｍｉｎとなるように、主ビームスプリッタ２２の光学膜厚が決定される。このように、主ビームスプリッタ２２の光学膜厚は、測定ユニット１００の測定波長範囲の上限値および下限値に基づいて決定される測定可能な光学膜厚の下限値未満となるように決定されることが好ましい。
【０１１６】
図１４は、本実施の形態に従う光学測定装置を用いて測定可能な光学膜厚の下限値を有するサンプルＳＭＰを測定したときの波長範囲と干渉波形の周期性との関係を説明するための図である。なお、図１４において、波数の下限値ｋｍｉｎは波長範囲の上限値λｍａｘの逆数を意味し、波数の上限値ｋｍａｘは波長範囲の下限値λｍｉｎの逆数を意味する。
【０１１７】
図１４に示すように、（１）式に従って算出される光学膜厚の下限値ｄｍｉｎは、干渉波形の１周期分が分光測定部１２０の測定可能な波長範囲（λｍｉｎ〜λｍａｘ）に一致する場合の光学膜厚に相当する。すなわち、光学膜厚の下限値ｄｍｉｎは、干渉波形の１周期分を構成するデータ数が検出部１２７の検出素子数と同一である場合の光学膜厚を意味する。
【０１１８】
反射率スペクトルの波長範囲が干渉波形の１周期分未満であれば、フーリエ変換して得られるパワースペクトルには、干渉波形に由来するピークは生じない。主ビームスプリッタ２２には測定光が透過するので、主ビームスプリッタ２２自体で干渉が生じ得るが、上述したような光学膜厚の条件を満たすようにすることで、サンプルＳＭＰの膜厚を算出するためのパワースペクトルには、その影響が及ばないことになる。すなわち、主ビームスプリッタ２２の光学膜厚を（１）式に従って算出される光学膜厚の下限値ｄｍｉｎを下回るようにすることで、サンプルＳＭＰの膜厚を算出するにあたって、主ビームスプリッタ２２自体で生じる干渉の影響を測定結果から排除できる。
【０１１９】
（ｆ３：観察光の注入）
本実施の形態に従う光学測定装置１において、主ビームスプリッタ２２は、測定光の反射光の分離、観察光の注入、観察光の反射光の分離という３つの機能を発揮する。
【０１２０】
図１、図７および図８を再度参照して、観察用光源２４は、主ビームスプリッタ２２の反射面に対応する光軸ＡＸ２に直交する光軸ＡＸ３上に配置される。すなわち、主ビームスプリッタ２２での反射により形成される光路（光軸ＡＸ２）上に、観察用光源２４が発生する観察光を注入するための副ビームスプリッタ２６が配置されている。このように、測定光が伝搬する光路である光軸ＡＸ１とは別の光路である光軸ＡＸ２上に観察光を注入するための光学部材を配置することで、測定光の減衰を抑制できる。
【０１２１】
＜Ｇ．測定手順＞
次に、本実施の形態に従う光学測定装置１を用いたサンプルＳＭＰの測定手順について説明する。
【０１２２】
図１５は、本実施の形態に従う光学測定装置１を用いたサンプルＳＭＰの測定手順を示すフローチャートである。なお、必要に応じて、キャリブレーションなどの事前処理が実行されてもよい。
【０１２３】
図１５を参照して、ユーザがサンプルＳＭＰをステージ１０上に配置する（ステップＳ２）。
【０１２４】
続いて、可視域を波長範囲に含む観察光を光軸ＡＸ１に沿ってサンプルＳＭＰに照射する（ステップＳ４）。すなわち、ユーザは、光学ユニット２の観察用光源２４を点灯し、観測光を光軸ＡＸ１に注入する。そして、ユーザは、この状態で表示装置２００に表示される撮像画像を見ながら、撮像部３０の焦点がサンプルＳＭＰの表面と一致するように、撮像部３０およびマクロレンズ２８の位置などを調整する（ステップＳ６）。
【０１２５】
撮像部３０の焦点がサンプルＳＭＰの表面と一致するように調整された後、可視域以外を波長範囲に含む測定光を光軸ＡＸ１に沿ってサンプルＳＭＰに照射する（ステップＳ８）。すなわち、ユーザは、測定ユニット１００の測定用光源１１０を点灯し、測定光を光軸ＡＸ１に注入する。そして、ユーザは、この状態で表示装置２００に表示される撮像画像を見ながら、測定光の焦点がサンプルＳＭＰの表面と一致するように、投受光プローブ１６の位置などを調整する（ステップＳ１０）。測定光の焦点がサンプルＳＭＰの表面と一致した状態においては、測定光のスポット像の大きさが最小となり、滲みのない像が表示されることになる。
【０１２６】
以上のような処理によって、測定可能な状態になる。
そして、サンプルＳＭＰにおいて生じる測定光の反射光およびサンプルＳＭＰにおいて生じる観察光の反射光のうち、光軸ＡＸ１上に配置された主ビームスプリッタ２２によって光軸ＡＸ２に光路が変化した光が撮像部３０で受光され、受光された光の像を示す撮像画像が出力される（ステップＳ１２）。この状態において、測定ユニット１００は、サンプルＳＭＰにおいて生じる測定光の反射光を受光して測定結果を出力する（ステップＳ１４）。測定結果を出力する処理は、測定光の反射光に基づいてサンプルの反射率スペクトルを算出する処理と、反射率スペクトルに対する所定の波数変換により波数変換反射率スペクトルを算出する処理と、波数変換反射率スペクトルを波数についてフーリエ変換してパワースペクトルを算出する処理と、パワースペクトルに現れるピークの位置に基づいて、光学特性として、サンプルの光学膜厚、サンプルの膜厚、サンプルまでの距離のうち少なくとも一つを算出する処理とを含んでいてもよい。
【０１２７】
このように、ユーザは、サンプルＳＭＰの表面状態を観察するための観察光と測定光との両方を光軸ＡＸ１に注入した状態で、撮像部３０からの撮像画像を参照しながら、サンプルＳＭＰについての測定（例えば、膜厚測定や距離測定）を行う。
【０１２８】
以上の手順によって、サンプルＳＭＰに対する測定が完了する。なお、複数のサンプルＳＭＰを連続的に測定する場合には、図１５に示されるステップが繰り返されることになるが、サンプルＳＭＰの種類や形状などによっては、ステップＳ６およびＳ１０の調整処理などを適宜省略してもよい。
【０１２９】
＜Ｈ．測定例＞
次に、本実施の形態に従う光学測定装置１を用いたサンプルＳＭＰの測定例を示す。
【０１３０】
図１６〜図１８は、本実施の形態に従う光学測定装置１を用いたサンプルＳＭＰの測定例を示す図である。図１６〜図１８においては、透明基板層にセラミックが積層されたサンプルＳＭＰを測定した結果の一例を示す。なお、撮像部３０には、カラーＣＭＯＳ撮像部（メーカ：Ａｌｌｉｅｄ  Ｖｉｓｉｏｎ  Ｔｅｃｈｎｏｌｏｇｉｅｓ、型式：Ｍａｋｏ−Ｇ３１９Ｃ）を用いた。
【０１３１】
図１６には、サンプルＳＭＰの単層部を測定した結果を示し、図１７には、サンプルＳＭＰの積層部を測定した結果を示し、図１８には、サンプルＳＭＰの積層部（ボイド）を測定した結果を示す。
【０１３２】
図１６（Ａ）〜図１８（Ａ）には、各測定状態において撮像部３０により撮像された画像を示し、図１６（Ｂ）〜図１８（Ｂ）には、各測定状態において測定された反射率スペクトルを示し、図１６（Ｃ）〜図１８（Ｃ）には、各測定状態において算出されたパワースペクトルを示す。
【０１３３】
図１６（Ａ）を参照して、測定光のスポット像が単層部に対応する位置に確認できる。この測定状態において、図１６（Ｃ）に示されるパワースペクトルにおいては、サンプルＳＭＰの透明基板層のピークのみが現れていることが分かる。
【０１３４】
図１７（Ａ）を参照して、測定光のスポット像が積層部に対応する位置に確認できる。この測定状態において、図１７（Ｃ）に示されるパワースペクトルにおいては、サンプルＳＭＰのセラミック層および透明基板層の両方のピークが現れていることが分かる。
【０１３５】
図１８（Ａ）を参照して、測定光のスポット像が積層部（ボイド）に対応する位置に確認できる。この測定状態において、図１８（Ｃ）に示されるパワースペクトルにおいては、サンプルＳＭＰのセラミック層および透明基板層の両方のピークに加えて、両層の間に生じたボイド（気泡）によると考えられるピークが現れていることが分かる。
【０１３６】
＜Ｉ．利点＞
従来技術においては、測定光の光路に沿ってサンプル上に照射位置を示す可視光を投影し、ユーザが投影された可視光に基づいて測定位置を確認するような構成が採用されていた。しかしながら、可視域以外（赤外域および紫外域など）の測定光を用いて光学特性を測定する場合には、光学系に生じる色収差などによって、可視光が投影されている位置が実際の測定位置と一致するか否かを確認できない場合もある。
【０１３７】
これに対して、本実施の形態に従う測定装置は、可視域以外を波長範囲として含む測定光と、可視域を波長範囲として含む観察光とをサンプルＳＭＰに照射した状態を、撮像部で撮像することにより、サンプルＳＭＰの表面状態に加えて、実際に測定光が投影されている位置を同時に観察できる。このように、本実施の形態に従う光学測定装置１によれば、従来技術では確認することができなかった、測定光の実際の照射位置（測定位置）を可視化できる。
【０１３８】
撮像部により撮像される撮像画像を表示装置２００に表示することで、サンプルＳＭＰの表面状態および測定光の照射位置を同時に観察できる。測定中に撮像画像を観察できるので、測定位置と測定される反射率スペクトルおよびパワースペクトルとの関係を確認しながら測定を行うことができるので、ピークの同定や各層の厚みの解析を容易化できる。
【０１３９】
また、本実施の形態に従う光学測定装置１によれば、撮像部に入射する測定光の反射光と観察光の反射光との間で強度バランスを調整するので、撮像画像内において、サンプルＳＭＰの表面状態および測定光のスポット像が適切に表現される。
【０１４０】
さらに、本実施の形態に従う光学測定装置１によれば、測定ユニット１００から照射される測定光がサンプルＳＭＰに照射され、サンプルＳＭＰから測定ユニット１００に戻るまでの光路上には、１つのビームスプリッタのみが配置される。観察光をサンプルＳＭＰに照射する機能を有しつつ、ビームスプリッタの数を最小限にした光学系を採用することで、測定光の減衰を抑制して、測定の高精度化および高速化を実現できる。
【０１４１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４２】
１  光学測定装置、２  光学ユニット、１０  ステージ、１２  下部筒部、１４  上部筒部、１６  投受光プローブ、１８  コネクタ、２０  結像レンズ、２２  主ビームスプリッタ、２４  観察用光源、２６  副ビームスプリッタ、２８  マクロレンズ、３０  撮像部、３２  光学フィルタ、３４  透過光学部材、４０  Ｙ型ファイバ、４１，４２  分岐ファイバ、４３  ファイバカプラ、１００  測定ユニット、１１０  測定用光源、１２０  分光測定部、１２１  スリット、１２２  シャッタ、１２３  カットフィルタ、１２４  コリメートミラー、１２５  回折格子、１２６  フォーカスミラー、１２７  検出部、１３０  演算部、１４０  インターフェイス、２００  表示装置、３０２，３１０  イメージセンサ、３０４  カラーフィルタ、３０６  近赤外吸収フィルタ、３０８  光電変換部、３１２  マイクロレンズ、３１４  保護層、３１６  透明電極、３１８  可視域用有機薄膜、３２０  近赤外域用有機薄膜、３２２  画素電極、３２４  シリコン基板、３２６  電荷蓄積ノード、３２８  電源、３３０  信号電荷、ＡＸ１，ＡＸ２，ＡＸ３  光軸、ＦＶ  視野、ＭＬ１  測定光、ＭＬ２，ＭＬ３，ＯＬ２  測定光の反射光、ＯＬ１  観察光、ＯＬ２  観察光の反射光、ＳＭＰ  サンプル。
【図１】
2020176842.tif 000004
【図２】
2020176842.tif 000005
【図３】
2020176842.tif 000006
【図４】
2020176842.tif 000007
【図５】
2020176842.tif 000008
【図６】
2020176842.tif 000009
【図７】
2020176842.tif 000010
【図８】
2020176842.tif 000011
【図９】
2020176842.tif 000012
【図１０】
2020176842.tif 000013
【図１１】
2020176842.tif 000014
【図１２】
2020176842.tif 000015
【図１３】
2020176842.tif 000016
【図１４】
2020176842.tif 000017
【図１５】
2020176842.tif 000018
【図１６】
2020176842.tif 000019
【図１７】
2020176842.tif 000020
【図１８】
2020176842.tif 000021